(57)【要約】【課題】複数個のオーディオサービス及び複数個のデータサービスを多重化した放送波を受信するディジタル放送受信機１０において、データサービスについてのユーザ選択を改善する。【解決手段】データサービス検出手段１１は、ユーザにより選択された放送波に現在、含まれているデータサービスを検出する。リスト表示制御手段１２は、受信しだい表示器に表示するようにユーザが予約しているデータサービスは除外しつつ、データサービスのリストをリスト表示器１３に表示する。選択データ検出手段１６は、リスト表示器１３に表示されたリストに基づいてユーザが選択したデータを検出する。データ情報表示制御手段１７は、選択データ検出手段１６により検出された選択データに係るデータ情報をデータ情報表示器１８に表示する。【選択図】      図１
2004228764.tif 000002
【特許請求の範囲】
【請求項１】
複数個のオーディオサービスと複数個のデータサービスとを多重化した放送波からユーザが選択したデータサービスに係る情報を表示できるようになっているディジタル放送受信機において、
ユーザにより選択された放送波に現在、含まれているデータサービスを検出するデータサービス検出手段、
受信しだい表示器に表示するようにユーザが予約しているデータサービスは前記データサービス検出手段が検出したデータサービスから除き、残りのデータサービスについてのデータ名を掲載するリストを作成してリスト表示器に表示するリスト表示制御手段、
前記リスト表示器に表示されたリストに基づいてユーザが選択したデータを検出する選択データ検出手段、及び
前記選択データ検出手段により検出された選択データに係るデータ情報をデータ情報表示器に表示するデータ情報表示制御手段、
を有していることを特徴とするディジタル放送受信機。
【請求項２】
複数個のオーディオサービスと複数個のデータサービスとを多重化した放送波からユーザが選択したデータサービスに係る情報を表示できるようになっているディジタル放送受信機において、
ユーザにより選択された放送波に現在、含まれているデータサービスを検出するデータサービス検出手段、
ユーザが現在、選択中のオーディオサービスに関連付けられたオーディオ関連データが放送波の伝送フレーム内のオーディオサービス領域に含まれているか否かを検出するオーディオ関連データ検出手段、
前記データサービス検出手段の検出したデータサービスに係るデータ名とオーディオ関連データ検出手段が検出したオーディオ関連データに係るデータ名とを含むリストを作成してリスト表示器に表示するリスト表示制御手段、
前記リスト表示器に表示されたリストに基づいてユーザが選択したデータを検出する選択データ検出手段、及び
前記選択データ検出手段により検出された選択データに係るデータ情報をデータ情報表示器に表示するデータ情報表示制御手段、
を有していることを特徴とするディジタル放送受信機。
【請求項３】
放送波に含まれるアプリケーションタイプ情報を該アプリケーションタイプ情報に係るデータサービスと対応付けて記憶する記憶手段、
前記リストにデータ名が掲載されている各データに対して、前記記憶手段より該各データに対応のアプリケーションタイプを検索する検索手段、及び
前記検索手段による検索の結果、アプリケーションタイプの判明したデータサービスについては該データサービスのデータ名とアプリケーションタイプとを対応付けたリストを作成してリスト表示器に表示する前記リスト表示制御手段、
を有していることを特徴とする請求項１又は２記載のディジタル放送受信機。
【請求項４】
複数個のオーディオサービスと複数個のデータサービスとを多重化した放送波からユーザが選択したデータサービスに係る情報を表示できるようになっているディジタル放送受信方法において、
ユーザにより選択された放送波に現在、含まれているデータサービスを検出するデータサービス検出ステップ、
受信しだい表示器に表示するようにユーザが予約しているデータサービスは前記データサービス検出ステップにおいて検出したデータサービスから除き、残りのデータサービスについてのデータ名を掲載するリストを作成してリスト表示器に表示するリスト表示制御ステップ、
前記リスト表示器に表示されたリストに基づいてユーザが選択したデータを検出する選択データ検出ステップ、
前記選択データ検出ステップにおいて検出された選択データに係るデータ情報をデータ情報表示器に表示するデータ情報表示制御ステップ、
を有していることを特徴とするディジタル放送受信方法。
【請求項５】
複数個のオーディオサービスと複数個のデータサービスとを多重化した放送波からユーザが選択したデータサービスに係る情報を表示できるようになっているディジタル放送受信方法において、
ユーザにより選択された放送波に現在、含まれているデータサービスを検出するデータサービス検出ステップ、
ユーザが現在、選択中のオーディオサービスに関連付けられたオーディオ関連データが放送波の伝送フレーム内のオーディオサービス領域に含まれているか否かを検出するオーディオ関連データ検出ステップ、
前記データサービス検出ステップにおいて検出したデータサービスに係るデータ名とオーディオ関連データ検出ステップにおいて検出したオーディオ関連データに係るデータ名とを含むリストを作成してリスト表示器に表示するリスト表示制御ステップ、
前記リスト表示器に表示されたリストに基づいてユーザが選択したデータを検出する選択データ検出ステップ、及び
前記選択データ検出ステップにおいて検出された選択データに係るデータ情報をデータ情報表示器に表示するデータ情報表示制御ステップ、
を有していることを特徴とするディジタル放送受信方法。
【請求項６】
放送波に含まれるアプリケーションタイプ情報を該アプリケーションタイプ情報に係るデータサービスと対応付けて記憶する記憶ステップ、前記リストにデータ名が掲載されている各データに対して、前記記憶ステップの記憶範囲において該各データに対応のアプリケーションタイプを検索する検索ステップ、及び
前記検索ステップにおける検索の結果、アプリケーションタイプの判明したデータサービスについては該データサービスのデータ名とアプリケーションタイプとを対応付けたリストを作成してリスト表示器に表示する前記リスト表示制御ステップ、
を有していることを特徴とする請求項４又は５記載のディジタル放送受信方法。
【請求項７】
請求項４〜６のいずれかのディジタル放送受信方法の各ステップをコンピュータに実行させるディジタル放送受信用プログラム。
【発明の詳細な説明】
【０００１】
【発明の属する技術分野】
本発明は、ＤＡＢ（Ｄｉｇｉｔａｌ  Ａｕｄｉｏ  Ｂｒｏａｄｃａｓｔｉｎｇ：ディジタルオーディオ放送）等のディジタル放送を受信するディジタル放送受信機、ディジタル放送受信方法及びディジタル放送受信用プログラムに係り、詳しくはオーディオサービスと共にデータサービスを含む放送波を受信して、データサービスに係る情報を適宜、表示可能になっているディジタル放送受信機、ディジタル放送受信方法及びディジタル放送受信用プログラムに関するものである。
【０００２】
【従来の技術】
特許文献１は、サービスを多重化した放送波に含まれるサービスのリストを表示するディジタル放送受信機を開示する。特許文献２は、複数個のデータサービスを多重化した放送波において、それら複数個のデータサービスについて優先度が設定され、優先度の高い方のデータサービスに係る情報から優先して表示器に表示するディジタル放送受信機を開示する。
【０００３】
【特許文献１】
特開２００２−２１６６９３公報
【特許文献２】
特開平１１−２６１５０１号公報
【０００４】
【発明が解決しようとする課題】
ＤＡＢのデータサービスの中には、ＴＭＣ（Ｔｒａｆｆｉｃ  ＭｅｓｓａｇｅＣｈａｎｎｅｌ：交通情報）がある。ＴＭＣは、ユーザが、複数のデータサービスの中から一々、選択して、表示器に内容を表示させるものではなく、通常のＤＡＢ受信機では、ユーザが、ＴＭＣの表示を予約しておけば、それを受信しだい、その情報を表示して、ユーザに知らせるようになっているものである。
【０００５】
また、ＤＡＢの伝送フレームでは、オーディオサービスはＭＳＣ（Ｍａｉｎ  Ｓｅｒｖｉｃｅ  Ｃｈａｎｎｅｌ）の領域内に、また、データサービスは、ＦＩＣ（Ｆａｓｔ  Ｉｎｆｏｒｍａｔｉｏｎ  Ｃｈａｎｎｅｌ）の領域内にそれぞれ存在する。そして、オーディオサービスに関連するデータ（例：放送中の曲の題名や歌手名等）としてＰＡＤ（Ｐｒｏｇｒａｍ  Ａｓｓｏｃｉａｔｅｄ  Ｄａｔａ：オーディオ関連情報）が存在することがあり、該ＰＡＤは、ＭＳＣの領域内に含められて、伝送される。特許文献１のディジタル放送受信機は、サービスのリスト表示に留まり、オーディオサービスに関連するデータの存否はリスト内に示されない。
【０００６】
本発明の目的は、ディジタル放送受信機におけるデータサービスのユーザ選択のための表示を改善することである。
【０００７】
【課題を解決するための手段】
本発明のディジタル放送受信機は、複数個のオーディオサービスと複数個のデータサービスとを多重化した放送波からユーザが選択したデータサービスに係る情報を表示できるようになっている。そして、該ディジタル放送受信機は次のものを有している。
ユーザにより選択された放送波に現在、含まれているデータサービスを検出するデータサービス検出手段。
受信しだい表示器に表示するようにユーザが予約しているデータサービスは前記データサービス検出手段が検出したデータサービスから除き、残りのデータサービスについてのデータ名を掲載するリストを作成してリスト表示器に表示するリスト表示制御手段。
前記リスト表示器に表示されたリストに基づいてユーザが選択したデータを検出する選択データ検出手段。
前記選択データ検出手段により検出された選択データに係るデータ情報をデータ情報表示器に表示するデータ情報表示制御手段。
【０００８】
本発明の別のディジタル放送受信機は、複数個のオーディオサービスと複数個のデータサービスとを多重化した放送波からユーザが選択したデータサービスに係る情報を表示できるようになっている。そして、該ディジタル放送受信機は次のものを有している。
ユーザにより選択された放送波に現在、含まれているデータサービスを検出するデータサービス検出手段、
ユーザが現在、選択中のオーディオサービスに関連付けられたオーディオ関連データが放送波の伝送フレーム内のオーディオサービス領域に含まれているか否かを検出するオーディオ関連データ検出手段。
前記データサービス検出手段の検出したデータサービスに係るデータ名とオーディオ関連データ検出手段が検出したオーディオ関連データに係るデータ名とを含むリストを作成してリスト表示器に表示するリスト表示制御手段。
前記リスト表示器に表示されたリストに基づいてユーザが選択したデータを検出する選択データ検出手段。
前記選択データ検出手段により検出された選択データに係るデータ情報をデータ情報表示器に表示するデータ情報表示制御手段。
【０００９】
本発明のディジタル放送受信方法によれば、複数個のオーディオサービスと複数個のデータサービスとを多重化した放送波からユーザが選択したデータサービスに係る情報を表示できるようになっている。そして、該ディジタル放送受信方法は次のステップを有している。
ユーザにより選択された放送波に現在、含まれているデータサービスを検出するデータサービス検出ステップ。
受信しだい表示器に表示するようにユーザが予約しているデータサービスは前記データサービス検出ステップにおいて検出したデータサービスから除き、残りのデータサービスについてのデータ名を掲載するリストを作成してリスト表示器に表示するリスト表示制御ステップ。
前記リスト表示器に表示されたリストに基づいてユーザが選択したデータを検出する選択データ検出ステップ。
前記選択データ検出ステップにおいて検出された選択データに係るデータ情報をデータ情報表示器に表示するデータ情報表示制御ステップ。
【００１０】
本発明の別のディジタル放送受信方法によれば、複数個のオーディオサービスと複数個のデータサービスとを多重化した放送波からユーザが選択したデータサービスに係る情報を表示できるようになっている。そして、該ディジタル放送受信方法は次のステップを有している。
ユーザにより選択された放送波に現在、含まれているデータサービスを検出するデータサービス検出ステップ。
ユーザが現在、選択中のオーディオサービスに関連付けられたオーディオ関連データが放送波の伝送フレーム内のオーディオサービス領域に含まれているか否かを検出するオーディオ関連データ検出ステップ。
前記データサービス検出ステップにおいて検出したデータサービスに係るデータ名とオーディオ関連データ検出ステップにおいて検出したオーディオ関連データに係るデータ名とを含むリストを作成してリスト表示器に表示するリスト表示制御ステップ。
前記リスト表示器に表示されたリストに基づいてユーザが選択したデータを検出する選択データ検出ステップ。
前記選択データ検出ステップにおいて検出された選択データに係るデータ情報をデータ情報表示器に表示するデータ情報表示制御ステップ。
【００１１】
本発明のディジタル放送受信用プログラムは、前述の各ディジタル放送受信方法の各ステップをコンピュータに実行させる。
【００１２】
ディジタル放送受信機には、少なくとも自動車搭載用ラジオを含む。ディジタル放送とは例えばＤＡＢである。受信しだい表示器に表示するようにユーザが予約しているデータサービスとは、例えば、ＤＡＢ用受信機におけるＴＭＣ（Ｔｒａｆｆｉｃ  Ｍｅｓｓａｇｅ  Ｃｈａｎｎｅｌ：交通情報）のようなものである。オーディオ関連データとは、例えばＤＡＢのＰＡＤである。データ名とは、対応するデータサービスが何かをユーザに分からせることのできる名称であればどのようなものであってもよいとする。受信しだい表示器に表示するようにユーザが予約しているデータサービスは、１個に限定されず、複数個であってもよい。予約可能なデータサービスであっても、該データサービスを予約していないときには、該データサービスをリストに含ませて、ユーザにその他のデータサービスと共にリストの中から表示を選択させることができる。
【００１３】
リスト表示器におけるリストの表示は、例えば、ユーザ指示により行われる他、ユーザがオーディオサービスを切替えるタイミングで自動的に表示し、ユーザによるデータサービスの選択が所定時間Ｔ１内に無かったら、自動的に表示が消えるか、そのまま表示を継続し、一方、別の所定時間Ｔ２（Ｔ２はＴ１に対して独立に設定可能。）経過後は切替後のオーディオサービスを音声出力手段（例：スピーカ）から流すようにできる。
【００１４】
【発明の実施の形態】
図１はディジタル放送受信機１０の構成図である。ディジタル放送受信機１０は、複数個のオーディオサービスと複数個のデータサービスとを多重化した放送波からユーザが選択したデータサービスに係る情報を表示できるようになっている。データサービス検出手段１１は、ユーザにより選択された放送波に現在、含まれているデータサービスを検出する。リスト表示制御手段１２は、受信しだい表示器に表示するようにユーザが予約しているデータサービスはデータサービス検出手段１１が検出したデータサービスから除き、残りのデータサービスについてのデータ名を掲載するリストを作成してリスト表示器１３に表示する。選択データ検出手段１６は、リスト表示器１３に表示されたリストに基づいてユーザが選択したデータを検出する。データ情報表示制御手段１７は、選択データ検出手段１６により検出された選択データに係るデータ情報をデータ情報表示器１８に表示する。
【００１５】
ユーザは、所定のデータサービスについては、後から表示出力を指示することなく、受信しだい表示するように予約することができる。ディジタル放送受信機１０のリスト表示器１３のリストには、該所定のデータサービスが除外されているので、ユーザは、表示を指示するデータサービスを的確に選択できる。
【００１６】
図２は別のディジタル放送受信機２０の構成図である。ディジタル放送受信機２０は、複数個のオーディオサービスと複数個のデータサービスとを多重化した放送波からユーザが選択したデータサービスに係る情報を表示できるようになっている。データサービス検出手段２１は、ユーザにより選択された放送波に現在、含まれているデータサービスを検出する。オーディオ関連データ検出手段２３は、ユーザが現在、選択中のオーディオサービスに関連付けられたオーディオ関連データが放送波の伝送フレーム内のオーディオサービス領域に含まれているか否かを検出する。リスト表示制御手段２２は、データサービス検出手段２１の検出したデータサービスに係るデータ名とオーディオ関連データ検出手段２３が検出したオーディオ関連データに係るデータ名とを含むリストを作成して、リスト表示器２４に表示する。選択データ検出手段２６は、リスト表示器２４に表示されたリストに基づいてユーザが選択したデータを検出する。データ情報表示制御手段２７は、選択データ検出手段２６により検出された選択データに係るデータ情報をデータ情報表示器２８に表示する。
【００１７】
リスト表示器２４において表示されるリストには、データサービス以外に、ユーザが現在、選択中のオーディオサービスに関連付けられていて放送波の伝送フレーム内のオーディオサービス領域に含まれているオーディオ関連データの存在をユーザに知らせる情報が含められるので、ユーザは、データサービス及びオーディオ関連データの中から適切な選択を行うことができる。
【００１８】
図３及び図４はそれぞれ図１のディジタル放送受信機１０及び図２のディジタル放送受信機２０に機能を付加したしたものである。記憶手段３０は、放送波に含まれるアプリケーションタイプ情報を、該包装波を受信中に検出して、該アプリケーションタイプ情報に係るデータサービスと対応付けて記憶する。検索手段３１は、リストにデータ名が掲載されている各データに対して、記憶手段３０より該各データに対応のアプリケーションタイプを検索する。リスト表示制御手段１２，２２は、検索手段３１による検索の結果、アプリケーションタイプの判明したデータサービスについては該データサービスのデータ名とアプリケーションタイプとを対応付けたリストを作成してリスト表示器１３，２４に表示する。なお、図４のディジタル放送受信機２０のリスト表示器２４の表示するリストには、オーディオ関連データのデータ名も含められているが、オーディオ関連データについてのアプリケーションタイプは、放送波で一々通知されることなく、固定されていて、該固定されたアプリケーションタイプをオーディオ関連データに係るデータ名に機械的に対応付けて作成したリストを表示する場合がある。
【００１９】
放送波に含まれるデータサービスについてのアプリケーションタイプ情報の伝送は、時間間隔があるので、アプリケーションタイプ情報の入手には、時間がかかる。アプリケーションタイプ情報は、受信した時に、記憶手段３０に記憶しておき、後で、ユーザが、データサービスのリスト表示を指示したときには、記憶手段３０における検索結果に基づいて各データサービスについてのアプリケーションタイプ情報をユーザに的確に知らせることができる。アプリケーションタイプ情報は、ユーザが、データ名だけでは情報の種類が分からないときに、ユーザが種類を推測するのに役立つ。
【００２０】
図５は第１のディジタル放送受信方法のフローチャートである。ディジタル放送受信方法では、複数個のオーディオサービスと複数個のデータサービスとを多重化した放送波からユーザが選択したデータサービスに係る情報を表示できるようになっている。Ｓ３４（データサービス検出ステップ）では、ユーザにより選択された放送波に現在、含まれているデータサービスを検出する。Ｓ３５（リスト表示制御ステップ）では、受信しだい表示器に表示するようにユーザが予約しているデータサービスはＳ３４において検出したデータサービスから除き、残りのデータサービスについてのデータ名を掲載するリストを作成してリスト表示器に表示する。Ｓ３６（選択データ検出ステップ）では、リスト表示器に表示されたリストに基づいてユーザが選択したデータを検出する。Ｓ３７（データ情報表示制御ステップ）では、Ｓ３６において検出された選択データに係るデータ情報をデータ情報表示器に表示する。
【００２１】
図６は第２のディジタル放送受信方法のフローチャートである。該ディジタル放送受信方法では、複数個のオーディオサービスと複数個のデータサービスとを多重化した放送波からユーザが選択したデータサービスに係る情報を表示できるようになっている。Ｓ４４（データサービス検出ステップ）では、ユーザにより選択された放送波に現在、含まれているデータサービスを検出する。Ｓ４５（オーディオ関連データ検出ステップ）では、ユーザが現在、選択中のオーディオサービスに関連付けられたオーディオ関連データが放送波の伝送フレーム内のオーディオサービス領域に含まれているか否かを検出する。Ｓ４６（リスト表示制御ステップ）では、Ｓ４４において検出したデータサービスに係るデータ名とＳ４５において検出したオーディオ関連データに係るデータ名とを含むリストを作成してリスト表示器に表示する。Ｓ４７（選択データ検出ステップ）では、Ｓ４６において検出された選択データに係るデータ情報をデータ情報表示器に表示する。
【００２２】
図６のフローチャートにおいて、Ｓ４４とＳ４５の順番は逆であったり、並列的に実施されてもよい。
【００２３】
図７は図５のフローチャートにアプリケーションタイプ検出ステップを付加したものである。Ｓ５１（記憶ステップ）では、放送波に含まれるアプリケーションタイプ情報を該アプリケーションタイプ情報に係るデータサービスと対応付けて記憶する。Ｓ５２（検索ステップ）では、リストにデータ名が掲載されている各データに対して、Ｓ５１の記憶範囲において各データに対応のアプリケーションタイプを検索する。Ｓ３５ｂ（リスト表示制御ステップ）では、図５のＳ３５の処理に加えて、Ｓ５２における検索の結果、アプリケーションタイプの判明したデータサービスについては該データサービスのデータ名とアプリケーションタイプとを対応付けた情報を付加したリストを作成してリスト表示器に表示する。
【００２４】
図８は図６のフローチャートにアプリケーションタイプ検出ステップを付加したものである。Ｓ５０，Ｓ５１は図７のものと同一であり、説明は省略する。Ｓ４６ｂ（リスト表示制御ステップ）では、図６のＳ４６の処理に加えて、Ｓ５２における検索の結果、アプリケーションタイプの判明したデータサービスについては該データサービスのデータ名とアプリケーションタイプとを対応付けた情報を付加したリストを作成してリスト表示器に表示する。
【００２５】
なお、図７及び図８におけるＳ５１は、厳密には、他のステップＳ３４〜Ｓ３７，Ｓ５２とは、別のプログラムとして実行され、実行タイミングは、他のステップを含むプログラムとは別個に設定されている。
【００２６】
【実施例】
図９はＤＡＢ用送信機５０の構成図である。送信機５０は、複数個のオーディオサービスと複数個のデータサービスとを一括したアンサンブルを送信する。音声圧縮エンコーダ５１ではＭＰＥＧ（動画像圧縮）オーディオ方式により音声圧縮が行われる。誤り訂正エンコーダ５２は音声圧縮符号化されたデータについて畳み込み方式により誤り訂正符号化を行う。同様に、誤り訂正エンコーダ５５はデータサービスについて畳み込み方式により誤り符号化を行う。時間インタリーブ器５３，５６は誤り訂正エンコーダ５２，５５で誤り訂正符号化されたデータについて時間インタリーブを行う。多重化器５４は時間インタリーブ器５３，５６で時間インタリーブされたデータを多重化する。直交周波数分割多重変調器（ＯＦＤＭ器）５７は多重化されたデータについて逆高速フーリエ変換（ＩＦＦＴ）を行う。高周波器（ＲＦ器）５８は逆高速フーリエ変換された時間領域の信号の周波数を発振器５９により送信周波数に変換する。
【００２７】
ＤＡＢの主伝送パラメータは次のとおりである。
シンボル数：７６。
伝送帯域幅：１，５３６ＭＨｚ。
搬送波数：１５３６。
搬送波の周波数間隔：１ＫＨｚ。
フレーム数：９６ｍｓ。
ＮＵＬＬシンボル長：１．２９７ｍｓ。
有効シンボル長：１ｍｓ。
ガードインターバル期間：２４６μｓ。
用途：ＳＦＮ。
使用周波数帯：３７５ＭＨｚ以下。
トータル伝送量：２．３Ｍｂｉｔ／ｓｅｃ。
【００２８】
ＤＡＢのバンドＩＩＩにおけるオーディオ放送帯は１７４〜２４０ＭＨｚであり、１．５ＭＨｚの伝送帯幅を有する複数のアンサンブルからなり、各アンサンブルは、複数個のオーディオサービス及び複数個のデータサービスを含む。なお、厳密には、アンサンブルは複数個のサービスを含み、各サービスは１個のプライマリサービス成分と０個以上のセカンダリサービス成分とを含んでいる。プライマルサービス成分はオーディオサービスであり、セカンダリサービス成分は、プライマリサービス成分は、オーディオサービス及びデータサービスである。
【００２９】
図１１は図９の多重化器５４により形成される伝送フレームの構成図である。該伝送フレームは、前から順番に同期チャンネル、ＦＩＣ（Ｆａｓｔ  Ｉｎｆｏｒｍａｔｉｏｎ  Ｃｈａｎｎｅｌ）、及びＭＳＣ（Ｍａｉｎ  Ｓｅｒｖｉｃｅ  Ｃｈａｎｎｅｌ）をもつ。ＭＳＣはオーディオデータ転送用のチャンネルであり、これを構成する１シンボルはガードインターバルと有効シンボルで構成される。ガードインターバルは、マルチパス波等の遅延波を受信しても、この時間内であればこの遅延を吸収するものである。なお、シンボルデータは直交する多数のサブ搬送波を、直交位相変調（ＱＰＳＫ）、１６直交位相振幅変調（ＱＡＭ）等の方式により、変調する。
【００３０】
ＯＦＤＭ器５７は、送信データを直並列変換してから、逆離散フーリエ変換する。こうして生成される伝送波は、約１．５ＭＨｚの伝送帯域幅で、１５３６個のサブ搬送波（モードＩの場合）をもつ。
【００３１】
図１０はＤＡＢ用カーラジオ７０の構成図である。受信信号は高周波器７１及びＰＬＬ回路７２によりダウンコンバージョンされて、直交復調される。その後、アナログディジタル変換されて、高速フーリエ変換器（ＦＦＴ器）７３により時間領域から周波数領域に変換して、サブ搬送波の復調を行って、データを抽出する。なお、このＦＦＴ器７３はディジタル信号プロセッサ（ＤＳＰ）で構成される。時間デインタリーブ／ビタビ復号器７４は時間インタリーブされたデータを時間デインタリーブし、さらに畳み込み方式により誤り訂正符号化されたデータをビタビ復号する。音声圧縮デコーダ７５は音声圧縮符号化されたデータを復号して、所定のオーディオサービスについてのオーディオ信号を生成する。その後、該データは、ディジタルアナログ変換されて、増幅器７６を経由してスピーカ７７から音声として出力される。
【００３２】
時間デインタリーブ／ビタビ復号器７４の出力は、データデコーダ７９に送られて、データサービスの文字コードに復号されてから、該データサービスの情報内容としての文章が表示器８０で表示される。なお、操作キー８２は、表示器８０の周辺部に設けられ、ユーザにより操作される。マイクロコンピュータ８１は、操作キー８２からのユーザ指示及び時間デインタリーブ／ビタビ復号器７４等からの情報を入力され、ＰＬＬ回路７２及び時間デインタリーブ／ビタビ復号器７４等へ制御信号を送り、ＲＦ器７１におけるダウンコンバージョン対象の高周波の選択や時間デインタリーブ／ビタビ復号器７４からの出力オーディオチャンネルの選択等を行う。
【００３３】
図１２はカーラジオの表示器８０に表示されるデータ名情報についての第１のリスト例を示している。ＤＡＢのデータサービスにはＴＭＣのように、ユーザが、所定のデータサービスについては、それを受信しだい、表示器８０に表示するように、予約しておくことがある。そのようなデータサービスについては、ユーザが、表示指示したリストの中で表示することはユーザに混乱を与えるとともに、表示するデータサービスの総数を無用に増やすことになる。このカーラジオでは、ユーザが、それを受信しだい表示器８０に表示するように予約したデータサービスは、現在受信中のアンサンブル内に存在していても、表示器８０のリストから除外する。図１２のリスト例では、データサービスとして、旅行者ガイド（Ｔｏｕｒｉｓｔ  Ｇｕｉｄｅ）及びお天気情報（Ｗｅａｔｈｅｒ  Ｉｎｆｏｒｍａｉｏｎ）が存在し、ユーザは、該リストからお天気情報を選択したことになっている（該リストでは選択データ名は背景色により非選択データに対して区別される。）。データ名の選択は、操作キー８２の中のアップ／ダウンキー等を利用して行われる。選択データ名のデータサービスの内容は、選択決定キーが操作されしだい、リストに代わって、表示器８０に表示される。
【００３４】
図１３はカーラジオの表示器８０に表示されるデータ名情報についての第２のリスト例を示している。ＤＡＢの伝送フレーム（図１１）では、データサービスはＦＩＣに含められて伝送される。ＤＡＢのデータ情報には、データサービス以外に、ＰＡＤがある。各ＰＡＤは、所定のオーディオサービスに関連付けられており、ＭＳＣの後端部に配置されて、伝送される。カーラジオのマイクロコンピュータ８１は時間デインタリーブ／ビタビ復号器７４からの情報からＰＡＤの有無を検出し、ＰＡＤがあるときには、該ＰＡＤのデータ名がリストに追加される。図１３のリストでは、ＰＡＤのデータ名はニュースフラッシュ（ＮＥＷＳ  Ｆｌａｓｈ）とされている。なお、図１３のリストでは、第２列の項目名がデータサービス名と表示されている。ＰＡＤは、狭義のデータサービスとは区別されるものであるが、広義では、一種のデータサービスである。リストに表示するＰＡＤ名としては、その内容に対応する名称ではなく、該ＰＡＤが関連付けられているオーディオサービスの名前であってもよい。図１２及び図１３のリストでは、データ名の他に、該データの伝送形式（パケットかＰＡＤかの区別）がデータ名に対応付けて表示され、ユーザは、該伝送形式を見て、どのデータ名がＰＡＤに係るものかを知ることができる。図１３のリストでは、ＰＡＤに係るデータ名の背景色が変化しており、ユーザがＰＡＤを現在、選択していることが分かる。
【００３５】
図１４はカーラジオの表示器８０に表示されるデータ名情報についての第３のリスト例を示している。データサービスには、それを処理するアプリケーションの種類を示すアプリケーションタイプがある。図１４のリストでは、各データ名に係るデータのアプリケーションタイプが各データ名に対応付けて表示されている。データサービスのアプリケーションタイプは、ＦＩＣのＦＩＧ０／１３（ＦＩＧ：Ｆａｓｔ  Ｉｎｆｏｒｍａｔｉｏｎ  Ｇｒｏｕｐ。”／”の前の数字はＦＩＧのタイプ番号、”／”の後ろの数字は各タイプのエクステンション番号をそれぞれ示す。）にある。図１４のリストのアプリケーションタイプにおいて、”ＵＮＫＮＯＷＮ”とは、データサービスは存在するものの、該データサービスのアプリケーションタイプの情報はまだ到達せず、該データサービスのアプリケーションタイプが現時点で不明であることを意味する。また、アプリケーションタイプの”ＢＷＳ”及び”ＳＬＳ”はそれぞれＢｒｏａｄｃａｓｔｉｎｇ  ＷｅｂＳｉｔｅ及びＳｌｉｄｅ  Ｓｈｏｗの略である。アプリケーションタイプの判明しないデータサービスについての内容は、表示器８０に表示できない。ユーザは、各データの情報の種類が、データ名からは分からなくても、アプリケーションタイプから推測できることがある。
【００３６】
図１５はＤＡＢのデータサービスについてのリスト表示方法のフローチャートである。Ｓ８５では、ユーザがアンサンブル内の所定のオーディオサービスを選択する。選択されたオーディオサービスの音声はスピーカ７７から出力される。Ｓ８６では、選択中のオーディオサービスが属するアンサンブル内にデータサービスが存在するか否かを判定する。該判定が正であれば、Ｓ８７へ進み、否であれば、Ｓ８８へ進む。Ｓ８７では、ＴＭＣのように、ユーザがカーラジオに受信しだい表示器８０に表示するように、予約しているデータサービスについてはリストから除外しつつ、その他のデータサービスについてのリストを作成する。Ｓ８８では、選択中のオーディオサービスにＰＡＤが有るか否かを判定する。そして、該判定が正であれば、Ｓ８９へ進み、否であれば、Ｓ９２へ進む。Ｓ８９では、Ｓ８７において作成したリストがある場合には、そのリストにＰＡＤサービスのサービス名を追加修正し、Ｓ８７でリストを作成しなかった場合には、該ＰＡＤサービスの存在を知らせるリストを新規に作成する。Ｓ９０では、リストにエントリされている各データのアプリケーションタイプがデータベースに存在するか否かを判定する。そして、該判定が正であれば、Ｓ９１へ進み、否であれば、Ｓ９２へ進む。Ｓ９１では、リスト内の各データ名に対してデータペースからアプリケーションタイプを検索し、ヒットしたアプリケーションタイプを該各データ名に対応付けたリストに、Ｓ８９のリストを修正する。Ｓ９２では、リストを表示器８０に表示する。
【００３７】
【発明の効果】
本発明によれば、ユーザの選択のために表示されるリストには、ユーザが表示を予約しているデータサービスは除外したデータサービスについてのリストとなるので、有益性の高いリストとなる。
【図面の簡単な説明】
【図１】ディジタル放送受信機の構成図である。
【図２】別のディジタル放送受信機の構成図である。
【図３】図１のディジタル放送受信機に機能を付加したしたものを示す図である。
【図４】図２のディジタル放送受信機に機能を付加したしたものを示す図である。
【図５】第１のディジタル放送受信方法のフローチャートである。
【図６】第２のディジタル放送受信方法のフローチャートである。
【図７】図５のフローチャートにアプリケーションタイプ検出ステップを付加したものを示す図である。
【図８】図６のフローチャートにアプリケーションタイプ検出ステップを付加したものを示す図である。
【図９】ＤＡＢ用受信機の構成図である。
【図１０】ＤＡＢ用カーラジオの構成図である。
【図１１】図９の多重化器により形成される伝送フレームの構成図である。
【図１２】カーラジオの表示器に表示されるデータ名情報についての第１のリスト例を示す図である。
【図１３】カーラジオの表示器に表示されるデータ名情報についての第２のリスト例を示す図である。
【図１４】カーラジオの表示器に表示されるデータ名情報についての第３のリスト例を示す図である。
【図１５】ＤＡＢのデータサービスについてのリスト表示方法のフローチャートである。
【符号の説明】
１０    ディジタル放送受信機
１１    データサービス検出手段
１２    リスト表示制御手段
１３    リスト表示器
１６    選択データ検出手段
１７    データ情報表示制御手段
１８    データ情報表示器
２０    ディジタル放送受信機
２１    データサービス検出手段
２３    オーディオ関連データ検出手段
２２    リスト表示制御手段
２４    リスト表示器
２７    データ情報表示制御手段
２６    選択データ検出手段
３０    記憶手段
３１    検索手段
【図１】
2004228764.tif 000003
【図２】
2004228764.tif 000004
【図３】
2004228764.tif 000005
【図４】
2004228764.tif 000006
【図５】
2004228764.tif 000007
【図６】
2004228764.tif 000008
【図７】
2004228764.tif 000009
【図８】
2004228764.tif 000010
【図９】
2004228764.tif 000011
【図１０】
2004228764.tif 000012
【図１１】
2004228764.tif 000013
【図１２】
2004228764.tif 000014
【図１３】
2004228764.tif 000015
【図１４】
2004228764.tif 000016
【図１５】
2004228764.tif 000017